(57)【要約】【課題】ノートパソコンを誤って落下させてしまった場合、あるいは長時間の振動に対してのＤＩＭＭが抜け落ちてしまうことを防止する。【解決手段】情報処理装置のＤＩＭＭ１１を取り付ける取り付け装置であって、ＤＩＭＭ１１と情報処理装置との信号授受の端子を有するスロット１２と、情報処理装置の落下、振動によってＤＩＭＭ１１の脱落を防止するＤＩＭＭ脱落防止フレーム１４−１を備え、ＤＩＭＭ脱落防止フレームは、情報処理装置の落下、振動によってＤＩＭＭ１１の脱落する方向に対して当該方向とは逆方向にＤＩＭＭ脱落フレームを支持する脚１６と、ＤＩＭＭ１１を実装したときにＤＩＭＭ脱落防止フレーム１４−１とＤＩＭＭ１１の隙間を無くすように配置した突起１７と、ＤＩＭＭ脱落防止フレーム１４−１の面上にフレーム補強リブ１５を一体に成形して配置する。【選択図】図１
2007148737.tif 000002
【特許請求の範囲】
【請求項１】
情報処理装置のメモリを取り付ける取り付け装置であって、
前記メモリと前記情報処理装置との信号授受の端子を有するスロットと、
前記情報処理装置の落下、振動によって前記メモリの脱落を防止するメモリ脱落防止フレームを備え、
前記メモリ脱落防止フレームは、
前記情報処理装置の落下、振動により前記メモリの脱落する方向に対して当該方向とは逆方向に前記メモリ脱落防止フレームを支持する脚を一体に成形したことを特徴とするメモリ取り付け装置。
【請求項２】
前記メモリ脱落防止フレームは、
さらに、前記メモリを実装したときに前記メモリ脱落防止フレームと前記メモリの隙間を無くすように配置した突起を一体に成形したことを特徴とする請求項１に記載のメモリ取り付け装置。
【請求項３】
前記メモリ脱落防止フレームは、
さらに、前記メモリ脱落防止フレームの面上にフレーム補強リブを一体に成形して配置したことを特徴とする請求項１に記載のメモリ取り付け装置。
【発明の詳細な説明】
【技術分野】
【０００１】
本発明は、ノートパソコンのような携帯型の情報処理装置（以下、総称してノートパソコン）内部のメモリを取り付ける取り付け装置に関するものである。
【背景技術】
【０００２】
近年、ノートパソコンはその携帯性がゆえに屋外に持ち出す機会も多い。従って軽量、コンパクト（＝携帯性）以外にも堅牢性も要求される。誤って床に落下させても正しく動作するといったことも重要な要件なる。
【０００３】
以下に従来のノートパソコンの内部構成について説明する。
【０００４】
図３（Ａ）はノートパソコンのケースを取り外して内部を示した図である。
【０００５】
１１はパソコンのメモリ、ＲＡＭ（増設用メモリ、ＤＩＭＭ、以下、ＤＩＭＭ：Ｄｕａｌ  Ｉｎｌｉｎｅ  Ｍｅｍｏｒｙ  Ｍｏｄｕｌｅと称す。）であり、図示しないケースに着脱可能な蓋があり、これを取り外すことでＤＩＭＭの取り付け、取り外しが可能である。
【０００６】
図４はＤＩＭＭの取り付ける手順を示した図である。
【０００７】
１１はＤＩＭＭ、１２はメモリスロット、１３はスロットレバーである。図４（Ａ）のようにＤＩＭＭ１１の電極をメモリスロット１２の方向（矢印の方向）に向かって挿入する。ＤＩＭＭ１１の挿入後、スロットレバー１３を図４（Ｂ）の矢印に移動させてＤＩＭＭ１１を動かないように押さえつけて固定する（図４（Ｃ））。
【特許文献１】特開２００２ー２４７７０号公報
【発明の開示】
【発明が解決しようとする課題】
【０００８】
しかしながら上記の従来の構成では、ＤＩＭＭが実装された状態でノートパソコンを誤って落下させてしまった場合、その衝撃でＤＩＭＭ１１がスロット１２から外れてしまう。また長時間の振動の結果、やはりＤＩＭＭ１１がスロット１２から抜け落ちてしまうこともあり得る。この時ノートパソコンは電源ＯＮしても正しく動作しない。ノートパソコンの場合、移動したり屋外に持ち出す機会も多くなり、このような事故は充分あり得ることである。
【０００９】
この対応策として図３（Ｂ）のフレーム１４−２を新たに設けた。これによりＤＩＭＭ１１が脱落する方向（矢印）とは逆方向にＤＩＭＭ１１を支えるので衝撃、振動でＤＩＭＭ１１がスロット１２から抜け落ちることはなくなる。
【００１０】
しかし、実際の落下テストの結果、図５に示すような過程でＤＩＭＭ１１はスロットレバー１３，フレーム１４−２の対策に対してもスロット１２から抜け落ちることがある。落下の衝撃でＤＩＭＭ１１はフレーム下部（図示）を歪曲させ（図５（Ｂ））、さらにＤＩＭＭ１１の重量と衝撃でフレーム１４−２から外れて抜け落ちる（図５（Ｃ））。
【００１１】
本発明は上記従来の問題点を解決するものであり、以下のような新たなＤＩＭＭ脱落防止フレーム構成とした。
（１）ＤＩＭＭが抜け落ちる方向とは逆にＤＩＭＭ脱落防止フレームを支えるリブを付けた一対の脚をＤＩＭＭ脱落防止フレームと一体成形して、脚をノートパソコンの筐体に適当な隙間をもって当接する。
（２）ＤＩＭＭが抜け落ちる方向の側のＤＩＭＭ脱落防止フレームに一対の突起を付けて、ＤＩＭＭを取り付けたときにＤＩＭＭ脱落防止フレームとＤＩＭＭの間に隙間がないようにすることで、落下の衝撃→「隙間あるので」ＤＩＭＭが抜け、移動→ＤＩＭＭの重みでフレーム歪曲→ＤＩＭＭ脱落、の過程を断つ。
（３）ＤＩＭＭ脱落防止フレームを落下の衝撃で歪曲しないようにリブを付けて補強する。
【課題を解決するための手段】
【００１２】
本発明の請求項１に記載の発明は、
情報処理装置のメモリを取り付ける取り付け装置であって、
前記メモリと前記情報処理装置との信号授受の端子を有するスロットと、
前記情報処理装置の落下、振動によって前記メモリの脱落を防止するメモリ脱落防止フレームを備え、
前記メモリ脱落防止フレームは、
前記情報処理装置の落下、振動により前記メモリの脱落する方向に対して当該方向とは逆方向に前記メモリ脱落防止フレームを支持する脚を一体に成形したことを特徴とするメモリ取り付け装置としたものであり、
ノートパソコンを誤って落下させてしまった場合、あるいは長時間の振動に対してのＤＩＭＭが抜け落ちてしまい、ノートパソコンの電源ＯＮした時に正しく動作しないといったことを防止することができるという作用を有する。
【発明の効果】
【００１３】
以上のように本発明は、ノートパソコンを誤って落下させてしまった場合、あるいは長時間の振動に対してのＤＩＭＭが抜け落ちてしまい、ノートパソコンの電源ＯＮした時に正しく動作しないといったことを防止することができるという優れた効果が得られる。
【発明を実施するための最良の形態】
【００１４】
以下、本発明の実施の形態について、図１から図２を用いて説明する。
【００１５】
（実施の形態１）
図１（Ａ）は本発明のメモリ取り付け装置であり、ＤＩＭＭとメモリスロット、ＤＩＭＭ脱落防止フレームを示している。図１（Ｂ）は本発明のメモリ取り付け装置のＤＩＭＭ脱落防止フレームの構成図である。
【００１６】
図２は本発明のメモリ取り付け装置の外観図であり、ノートパソコンのケースを取り外して内部を示している。ノートパソコン内部にＤＩＭＭとＤＩＭＭ脱落防止フレームを実装したようすを示している。
【００１７】
図１において、１１はパソコンのメモリ、ＲＡＭ（ＤＩＭＭ）であり、図示しないケースに着脱可能な蓋があり、これを取り外すことでＤＩＭＭの取り付け、取り外しが可能である。１２はメモリスロット、１３はスロットレバー、１４−１は本発明のＤＩＭＭ脱落防止フレームである。
【００１８】
以上のように構成されたメモリ取り付け装置について、図１、図２を用いてその詳細を説明する。
【００１９】
図１のＤＩＭＭ脱落防止フレーム１４−１では、
（１）ＤＩＭＭが抜け落ちる方向とは逆にＤＩＭＭ脱落防止フレームを支えるリブを付けた一対の脚１６をＤＩＭＭ脱落防止フレームと一体成形して、脚をノートパソコンの筐体に適当な隙間をもって当接する。
（２）ＤＩＭＭが抜け落ちる方向の側のＤＩＭＭ脱落防止フレームに一対の突起１７を付けて、ＤＩＭＭを取り付けたときにＤＩＭＭ脱落防止フレームとＤＩＭＭの間に隙間がないようにすることで、落下の衝撃→「隙間あるので」ＤＩＭＭが抜け、移動→ＤＩＭＭの重みでＤＩＭＭ脱落防止フレーム歪曲→ＤＩＭＭ脱落、の過程を断つ役割をしている。
（３）ＤＩＭＭ脱落防止フレームを落下の衝撃で歪曲しないようにリブ１５−１〜１５−３を付けて補強する。特にリブ１５−１、１５−２は落下の衝撃でＤＩＭＭ脱落防止フレーム１４−１が歪曲してＤＩＭＭ１１が抜け落ちないようにフレーム材を補強している。
【００２０】
これによりノートパソコンの落下により図２の矢印方向のＤＩＭＭの抜け落ちは防止できる。なお、スロットレバー１３は図２の紙面上方向の脱落には有効である。
【００２１】
以上のように本実施の形態によれば、ノートパソコンのような機器は移動したり屋外に持ち出す機会も多くなり、ノートパソコンを誤って落下させてしまった場合、あるいは長時間の振動に対してのＤＩＭＭが抜け落ちてしまい、ノートパソコンの電源ＯＮした時に正しく動作しないといったことを防止することができる効果が得られる。
【００２２】
なお、以上の説明では携帯型情報処理装置としてノートパソコンを例にして説明したが移動や落下の可能性は少ないもののデスクトップ型パソコンに適用してもよいことは言うまでもない。
【産業上の利用可能性】
【００２３】
本発明にかかるメモリ取り付け装置は、ノートパソコンを誤って落下させてしまった場合、あるいは長時間の振動に対してのＤＩＭＭが抜け落ちてしまい、ノートパソコンの電源ＯＮした時に正しく動作しないといったことを防止することができるといった効果を有し、ノートパソコンのような携帯型情報処理装置内部のメモリを取り付ける取り付け装置等として有用である。
【図面の簡単な説明】
【００２４】
【図１】（Ａ）本発明のメモリ取り付け装置であり、ＤＩＭＭとメモリスロット、ＤＩＭＭ脱落防止フレームを示す図、（Ｂ）本発明のメモリ取り付け装置のＤＩＭＭ脱落防止フレームの構成図
【図２】本発明のメモリ取り付け装置の外観図
【図３】（Ａ）従来のノートパソコンのケースを取り外して内部を示した図、（Ｂ）従来のノートパソコンにフレームを新たに設けた図
【図４】ＤＩＭＭの取り付ける手順を示した図
【図５】ＤＩＭＭがスロットレバー，フレームの対策に対してスロットから抜け落ちる過程を示す図
【符号の説明】
【００２５】
１１  メモリ、ＲＡＭ（ＤＩＭＭ）
１２  メモリスロット
１３  スロットレバー
１４―１  ＤＩＭＭ脱落防止フレーム
１４―２  フレーム
１５  リブ
１６  ＤＩＭＭ脱落防止フレームの脚
１７  突起
【図１】
2007148737.tif 000003
【図２】
2007148737.tif 000004
【図３】
2007148737.tif 000005
【図４】
2007148737.tif 000006
【図５】
2007148737.tif 000007